(57)【要約】      （修正有）【課題】製品シートの打ち抜きサイズを集約出来て、効果的に機能する外用抗真菌剤が用いられる爪水虫用貼り薬を提供する。【解決手段】爪水虫用の外用薬は抗真菌成分を爪表面から内部に浸透させて治療するが、その薬品成分を供給するのに液体あるいはクリームの状態ではなく貼り薬の形態をとる場合において、基材の限定された部分すなわち最終製品として爪に貼り付けられた時に爪の中央部分に該当する箇所５にだけ薬剤が配置され、貼り薬として製品を患部に保持するための粘着層３には該薬剤が含まれていない事を特徴とする。【選択図】図１
0003222259.tif 000002
【実用新案登録請求の範囲】
【請求項１】
爪水虫用の外用薬を貼り薬の形態で適用する場合において、その薬品成分を爪に貼る最終製品の全面ではなく限定された部分、例えば中央部分にだけ配置した貼り薬。
【請求項２】
爪水虫用の外用薬を貼り薬の形態でかつ最終製品の限定された部分に薬品を配置して製造する場合において、その薬品成分をマイクロカプセル化して適用した貼り薬。
【請求項３】
爪水虫用の外用薬を貼り薬の形態でかつ最終製品の限定された部分に薬品を配置して製造する場合において、製品外観で薬品の配置場所を認識出来るよう薬品成分を含む粘着液に色素を加えて製造した貼り薬。
【考案の詳細な説明】
【技術分野】
【０００１】
本考案は、効果的に機能する爪水虫用貼り薬に関するものである。
【背景技術】
【０００２】
爪水虫は白癬菌が爪の中に侵入しておこるものである。一般の水虫は主に外用抗真菌剤が用いられるが、爪水虫の場合には爪の中まで有効成分が届かないため内用薬を用いるのが通常である。
しかしながら、内用薬は体内の臓器を経由して末端の爪まで有効成分を到達させるため、効率が悪いだけでなく経路に関連する臓器に多大な負担をかけ、肝臓等の機能を低下させる副作用が問題視されている。
【０００３】
近年になって爪表面から内部に有効成分を浸透させることが出来る爪水虫用外用薬が開発され治療に用いられるようになった。  外用薬は患部の近くから薬品成分を供給するので効率が良く、内臓への負担もない。  
しかし、爪水虫用の外用薬は、爪周辺に液だれすると健全組織を角質化させひび割れを起こすあるいはびらん状態の患部には刺激が強すぎるといった影響があり、性能を十分に生かすことが出来ない。
【０００４】
これらの改善策として、下記の先行技術文献に示すような爪水虫治療具が提案されている。  これは、ブチルゴム等の弾性体で有底筒状に形成され、爪水虫治療用の薬剤を内側に配することが出来る内包容器で、その開口部に一体となったフランジ状の周縁部を爪表面に密着固定させるものである。
【０００５】
この爪水虫治療具は、形成された弾性容器が爪に接触している範囲内だけに薬液の影響範囲を制限し、薬液が容器外の周辺組織を侵さないことが特長であるが、治療具の製作に多大の費用がかかり、かつ爪に密着させる作業や内包容器に薬品を充填する作業は高度な技術が必要なため、個人が日常生活のなかで容易に適用できる発明ではない。
【先行技術文献】
【特許文献】
【０００６】
【特許文献１】特開２０１３−０６３２３６  爪水虫用治療具
【考案の概要】
【考案が解決しようとする課題】
【０００７】
解決しようとする課題は、これまでの爪水虫用外用薬が液だれによって周辺部の健全組織に悪影響を及ぼすのを簡便に防止することである。  そのためには貼り薬タイプで薬品成分を供給するのが効果的であるが、次のような問題点を解決する必要がある。  
貼り薬の原反から爪に貼りやすいサイズの製品シートを型抜きするが、高価な薬品成分は全面に含まれているので、打ち抜いた残りのスケルトンで廃棄されるロスが大きく、製品コストがアップしてしまうこと。
また、型抜きされた製品の端部まで薬品成分があるので、そこが健全組織に触れれば液だれと類似の影響があること。
【０００８】
爪水虫治療用の外用薬は浸透性が高く、従って揮散性も高いので通常は密閉容器に保管されるものである。  これを貼り薬のように開放に近い状態に置くと、薬品の有効成分が早期に失われてしまうこと。
治療が必要な爪のサイズは、人によっても指によっても様々であるが、製品の寸法の種類をそれら全てのサイズに合わせて製造するのは生産効率の点で合理的でない。  従って、数種類にサイズ集約をしたうえで必要な場合にはユーザーが使用前に簡単に周囲をカットしてサイズ調整をするように運用しても薬品としての効用を損なわないこと。
【課題を解決するための手段】
【０００９】
本考案は、爪水虫に適用する貼り薬であるが、薬品成分を貼り付ける接着剤に含ませてシートの全面に分布させるのではなく、面内の限定された部分（例えば中央部分）にだけ存在するようにしたもの。
また薬品成分をマイクロカプセル化して適用することで経時変化を抑えた貼り薬および薬品成分の存在部分に色素を含めることにより最終段階の製品で薬剤部分が外観で認識できるようにした貼り薬。
【考案の効果】
【００１０】
本考案の爪水虫用貼り薬は、薬品が製品シートの端部には存在しないので、爪に貼られても薬品成分が周囲の皮膚に触れることはない。  従って、周囲の健全組織が薬品により影響を受けることを
防止できるという利点がある。  薬品をマイクロカプセル化したものは、成分を密閉状態にして保持するので、薬品の経時変化を抑えて本来の性能を長く維持できる利点がある。
このマイクロカプセルはシートを患部に貼り付けたのち外部から圧力を加えれば、硬い爪の上なので容易にカプセルが破壊し中の薬品成分がしみだして効果を発揮する。
【００１１】
薬品成分の存在状況が製品の外観から認識出来るので、製造ラインの検査で薬品の配置場所や量が正常な状態であるか確認が出来る。
消費者が製品を手にしたときに一般の貼り薬商品と差別化することが出来る。  また、使用にあたってシートの薬品部分が明確なので患部に近い適切な場所に貼ることが出来るし、状況から貼り付けるサイズを調整したい場合には、事前にシートの薬品部分を残しながら自分が必要とするサイズになるようカットすることも出来る。
更に、こうした運用により、メーカーとしては市販する製品シートの打ち抜きサイズを集約出来て、少ない種類で済ませるので、製造コストを低く抑えることが出来るという利点がある。
【図面の簡単な説明】
【００１２】
【図１】図１は最終製品イメージの説明図である。（実施例１）  図２は図１のA-A断面イメージの説明図である。（実施例２）    図３は製品の製造プロセスイメージの説明図である。（実施例３）  図４は製品の使用状態イメージを示す図です。（実施例４）
【実施例１】
【００１３】
図１中の  １は表面コーティングあるは表面フィルム、  ２は基材、  ３は粘着層、  ４は剥離シート、  ５は薬品配合部  を示す。平面図なので、１，２，３は重複して見える。  ５は一般に裏面の剥離シート側から存在が確認される。    
【実施例２】
【００１４】
図２中の番号は図１と同様である。  薬品５は基材２と剥離シート４に挟まれた粘着剤の中の限定された場所に存在している。
【実施例３】
【００１５】
図３中の  ６は基材の原反、  ７、８，９，１０    は基材の必要な個所に薬品を配置する機構でここでは凹版印刷の例を示している。  ７は薬品、粘着剤、色素を含んだ薬品液、  ８はピックアップロール、９はドクターブレード、１０はシリンダー（印刷版）、  １１は粘着剤塗布装置、  １２は剥離シートの原反、  １３は貼り薬製品の原反  である。薬品液７は回転するピックアップロール８の表面に付着して汲み上げられ、シリンダー（印刷版）１０に付着する。  薬液の内、余剰の薬液はドクターブレード９で掻き落とされ薬液槽に戻り、凹部の薬液だけが印刷に費やされる。  シリンダー（印刷版）１０は原反６から巻き戻された基材に密着し凹部の薬品液を転写する。  所定箇所に薬品液が付着した基材は次に粘着剤塗布装置１１を経由し、基材全面に粘着剤が塗布される。連続乾燥されながらその後剥離シートの原反１２から巻き戻された剥離シートを粘着剤表面に圧着しコイル状に巻き上げて貼り薬製品の原反１３とする。その後、製品原反は基材側のカット型抜き、剥離シートのカット、検査を経て包装され、最終製品として出荷される。
図３に示したものはイメージアップのための一例である。  例えば、薬品を基材の必要な個所に配置する機構は、孔版印刷やインクジェット方式等も可能性がある。また、この例ではいったん製品の母材を巻き取り、製品原反として別の工程でカット、打ち抜き、検査、包装を想定しているがこれらを連続ラインで完了することも可能である。
【実施例４】
【００１６】
図４は、例として、親指先端の爪部に製品シートが貼り付けられている図である。  このように薬品は製品シートの中央部に配置されており、爪周囲の健全組織に触れないよう隔離できている。  このため、浸透性が高く刺激の強い爪水虫薬であっても爪周囲の健全組織に望ましくない影響を及ぼすことがない。
【符号の説明】
【００１７】
１．表面のコーティングあるいは表面フィルム
２．基材
３．粘着層
４．剥離シート
５．薬品配合部
６．基材の原反
７．薬品、粘着剤、色素を含んだ薬品液
８．ピックアップロール
９．ドクターブレード
１０．シリンダー（印刷版）
１１．粘着剤塗布装置
１２．剥離シートの原反
１３．貼り薬の原反
【図１】
0003222259.tif 000003
【手続補正書】
【提出日】平成31年3月24日(2019.3.24)
【手続補正１】
【補正対象書類名】実用新案登録請求の範囲
【補正対象項目名】全文
【補正方法】変更
【補正の内容】
【実用新案登録請求の範囲】
【請求項１】
爪水虫用の外用薬は抗真菌成分を爪表面から内部に浸透させて治療するものであるが、その薬品成分を供給するのに液体あるいはクリームの状態ではなく貼り薬の形態をとる場合において、薬剤を粘着剤に混入させて基材に塗布する等で基材全面に薬品成分を均一に分布させるのではなく、基材の限定された場所例えば最終製品として爪に貼り付けられた時に爪の中央部分に該当する箇所だけに薬剤が配置され、貼り薬として製品を患部に保持するための粘着層には該薬剤が含まれていない事を特徴とする爪水虫用の貼り薬。
【請求項２】
基材の限定された場所に適用される薬剤の全てあるいは一部の薬品成分がマイクロカプセルとしたうえで配置されている事を特徴とする請求項１に記載の貼り薬。
【請求項３】
基材の限定された場所に配置される薬剤に色素を添加し、最終製品の外観からすなわち裏面の剥離シート側および/または表面の基材側から薬品成分の配置状態が認識できる事を特徴とする請求項１に記載の貼り薬。
【手続補正書】
【提出日】令和1年5月25日(2019.5.25)
【手続補正１】
【補正対象書類名】実用新案登録請求の範囲
【補正対象項目名】請求項１
【補正方法】変更
【補正の内容】
【請求項１】
爪水虫用の外用薬は抗真菌成分を爪表面から内部に浸透させて治療するものであるが、その薬品成分を供給するのに液体あるいはクリームの状態ではなく貼り薬の形態をとる場合において、薬剤を粘着剤に混入させて基材に塗布する等で基材全面に薬品成分を均一に分布させるのではなく、基材の限定された部分すなわち最終製品として爪に貼り付けられた時に爪の中央部分に該当する箇所にだけ薬剤が配置され、貼り薬として製品を患部に保持するための粘着層には該薬剤が含まれていない事を特徴とする爪水虫用の貼り薬。